(57)【要約】【課題】  個人情報を隠蔽する際に、隠蔽部材の位置合わせが容易な親展葉書作製用シートを提供する。【解決手段】  本実施形態の親展葉書作製用シート１では、シートを折り畳んで接着等するだけで簡単に親展葉書が作製できるので、従来のように親展葉書作製のために煩雑な作業を要することなく、また製造のコストを抑えることができる。また、隠蔽部１３の表面と宛名記載部１２の裏面とにそれぞれ地紋を印刷したので、親展情報をより確実に隠蔽することができる。また、隠蔽部１３の印刷用シートを捲るだけで中の親展情報を容易に視認可能で、さらに、葉書内にカード等を封入して使用する場合も、切断可能線２１に沿って宛名記載部の一部を切り取るだけで開口部を簡単に形成でき、そこから封入物を取り出すことができる。【選択図】  図１
2007022049.tif 000002
【特許請求の範囲】
【請求項１】
不透明な印刷用シートと、該印刷用シートに剥離可能で再接着不可能に重ねられた透明フィルムと、該透明フィルムに重ねられた透明な接着剤層と、該接着剤層に重ねられた剥離シートとを備えた親展葉書作製用シートであって、
略矩形の宛名記載部と、該宛名記載部の一側辺に隣接した略矩形の親展情報記載部と、前記宛名記載部の他の一側辺に隣接した略矩形の隠蔽部とを備え、
前記剥離シートには、前記宛名記載部もしくは親展情報記載部の少なくとも一方の記載部において接着剤層を部分的に露出させるための第１のスリットと、隠蔽部の接着剤層を全面的に露出させるための第２のスリットとが形成され、
前記宛名記載部には、この宛名記載部を表裏に渡って貫通して部分的に除去するための切断可能線が形成されており、
前記第１のスリットに沿って剥離シートを剥離させて前記接着剤層を部分的に露出させ、前記宛名記載部と親展情報記載部との境界線に沿って前記印刷用シートが外側となるように折り畳んで両記載部を接着させた状態で、両記載部裏側の剥離シート同士が対向した箇所には、カード等の情報記録媒体を封入可能な袋状領域が形成され、
その後、前記第２のスリットに沿って剥離シートを除去して隠蔽部の接着剤層を全面的に露出させ、当該接着剤層と前記親展情報記載部の印刷用シートとが対向するように隠蔽部と親展情報記載部との境界線に沿って折り畳み、隠蔽部と親展情報記載部とを接着させることによって親展葉書を作製可能で、
さらに、前記切断可能線に沿って前記宛名記載部を部分的に除去することによって、前記情報記録媒体を取り出すための開口部が形成されることを特徴とする親展葉書作製用シート。
【請求項２】
前記隠蔽部の印刷用シートには、当該印刷用シートの一部を前記透明フィルムから剥離可能とする切れ目が形成されていることを特徴とする請求項１に記載の親展葉書作製用シート。
【請求項３】
前記宛名記載部の剥離シートまたは前記親展情報記載部の剥離シートには、透過防止印刷が施されていることを特徴とする請求項１または２に記載の親展葉書作製用シート。
【発明の詳細な説明】
【技術分野】
【０００１】  本発明は、親展葉書を作製するための親展葉書作製用シートに関する。
【背景技術】
【０００２】  従来から、保険会社等が口座振替の案内等の個人情報を通知・郵送する場合には、図１６に示すような隠蔽葉書２００が使用されている（例えば、特許文献１）。この隠蔽葉書２００は、個人情報２０１を印刷した後、疑似接着層を有する隠蔽用のシール２０３を印刷部分に貼り付けることで、個人情報を隠蔽するものである。そして、葉書を受領した顧客等は、シール２０３の疑似接着層を剥がして個人情報を確認する。
【特許文献１】    特開平１１−２０３５０号公報
【発明の開示】
【発明が解決しようとする課題】
【０００３】  しかしながら、従来の隠蔽葉書では、シールが葉書と別体とされていたため、このシールを個人情報部分に貼り付ける際に、位置合わせが難しいという問題があった。【０００４】  本発明は、上記課題を解決するためになされたものであり、個人情報を隠蔽する際に、隠蔽部材の位置合わせが容易な親展葉書作製用シートを提供することを目的とする。
【課題を解決するための手段】
【０００５】  上記目的を達成するために、本発明に係る親展葉書作製用シートは、不透明な印刷用シートと、該印刷用シートに剥離可能で再接着不可能に重ねられた透明フィルムと、該透明フィルムに重ねられた透明な接着剤層と、該接着剤層に重ねられた剥離シートとを備えたものであって、略矩形の宛名記載部と、該宛名記載部の一側辺に隣接した略矩形の親展情報記載部と、前記宛名記載部の他の一側辺に隣接した略矩形の隠蔽部とを備え、前記剥離シートには、前記宛名記載部もしくは親展情報記載部の少なくとも一方の記載部において接着剤層を部分的に露出させるための第１のスリットと、隠蔽部の接着剤層を全面的に露出させるための第２のスリットとが形成され、前記宛名記載部には、この宛名記載部を表裏に渡って貫通して部分的に除去するための切断可能線が形成されており、前記第１のスリットに沿って剥離シートを剥離させて前記接着剤層を部分的に露出させ、前記宛名記載部と親展情報記載部との境界線に沿って前記印刷用シートが外側となるように折り畳んで両記載部を接着させた状態で、両記載部裏側の剥離シート同士が対向した箇所には、カード等の情報記録媒体を封入可能な袋状領域が形成され、その後、前記第２のスリットに沿って剥離シートを除去して隠蔽部の接着剤層を全面的に露出させ、当該接着剤層と前記親展情報記載部の印刷用シートとが対向するように隠蔽部と親展情報記載部との境界線に沿って折り畳み、隠蔽部と親展情報記載部とを接着させることによって親展葉書を作製可能で、さらに、前記切断可能線に沿って前記宛名記載部を部分的に除去することによって、前記情報記録媒体を取り出すための開口部が形成されることを特徴とする。【０００６】  また、好適には、隠蔽部の印刷用シートに、当該印刷用シートの一部を前記透明フィルムから剥離可能とする切れ目が形成されていることが望ましく、また、宛名記載部の剥離シートまたは前記親展情報記載部の剥離シートに透過防止印刷が施されていることが望ましい。
【発明の効果】
【０００７】  本発明に係る親展葉書作製用シートでは、剥離シートには、宛名記載部もしくは親展情報記載部の少なくとも一方の記載部において接着剤層を部分的に露出させるための第１のスリットと、隠蔽部の接着剤層を全面的に露出させるための第２のスリットとが形成されている。また、宛名記載部には、この宛名記載部を部分的に除去可能な切断可能線が形成されている。親展葉書作製用シートを使用する際には、まず、第１のスリットに沿って剥離シートを剥離させて接着剤層を露出させ、宛名記載部と親展情報記載部との境界線に沿って印刷用シートが外側となるように折り畳んで両記載部を接着させる。この状態で、宛名記載部と親展情報記載部との間、詳しくは上下の第１のスリットに挟まれた領域には、接着剤層が露出せずに接着されていない袋状領域が形成されており、該袋状領域には、カード等の情報記録媒体を封入することができるようになっている。【０００８】  その後、第２のスリットに沿って剥離シートを除去して隠蔽部の接着剤層を全面的に露出させ、当該接着剤層と親展情報記載部の印刷用シートとが対向するように隠蔽部と親展情報記載部との境界線に沿って折り畳む。それにより、隠蔽部と親展情報記載部とが接着され、葉書大となった親展葉書を得ることができる。このように、本発明に係る親展葉書作製用シートでは、宛名記載部に対して親展情報記載部および隠蔽部を各境界線で折り畳んで、接着剤層を介して貼り付ける作業のみで容易に親展葉書を作製することができる。また、親展葉書の作製途中に、宛名記載部と親展情報記載部との間に形成された非接着の袋状領域に例えばカード等の情報記録媒体を封入した場合、宛名記載部に形成された切断可能線に沿って宛名記載部を部分的に除去することによって、親展葉書内に封入された情報記録媒体を容易に取り出すことができる。即ち、本発明に係る親展葉書作製用シートは、親展情報を隠蔽可能な封書の形態として使用可能である。【０００９】  また、隠蔽部の印刷用シートに、当該印刷用シートの一部を透明フィルムから剥離可能とする切れ目が形成されていることにより、印刷用シートの所望の箇所を容易に捲ることができ、さらに、宛名記載部の剥離シートまたは親展情報記載部の剥離シートに透過防止印刷を施すことによって、親展情報の隠蔽性をより高めることができる。
【発明を実施するための最良の形態】
【００１０】  以下、本発明を具体化した親展葉書作製用シートの一実施形態について図を参照して説明する。ここで、図１は親展葉書作製用シート１の平面図（表面図）、図２は図１におけるＡ−Ａ線矢視方向断面図、図３は親展葉書作製用シート１の裏面図である。図１に示すように、親展葉書作製用シート１は、何れも略葉書大の宛名記載部１１、親展情報記載部１２および隠蔽部１３の３つの領域が２本の折りミシン２０を介して横方向に並んで構成された横長形状のものであり、図１中では、左側から順に隠蔽部１３、宛名記載部１１、親展情報記載部１２の配置となっている。各領域は、親展葉書作製用シート１の使用時に、折りミシン２０に沿って折り畳まれることになる。【００１１】  図１および図２に示すように、宛名記載部１１には、宛名が印刷等によって記載されるようになっており、その図中左側辺に隠蔽部１３が、右側辺に親展情報記載部１２がそれぞれ隣接した状態で、隠蔽部１３の表面側（後述する印刷用シート５側）には、地紋３０が印刷されている。地紋３０は、隠蔽部１３の４つの側縁およびその近傍を除くほぼ全面に渡る大きさの長方形状で、その右側の長辺を除く各輪郭に沿うように、逆コの字型の切れ目３１が形成されている。切れ目３１は、後述の印刷用シート５を貫通しており、この切れ目３１に囲まれた領域の印刷用シート５が透明フィルム６から剥離可能となっている。さらに、宛名記載部１１の上側縁１１ａから略１ｃｍ下の箇所には、宛名記載部１１を部分的に除去可能とする切断可能線２１が、略７ｍｍの幅をもって宛名記載部１１の幅方向（図中横方向）に渡って形成されている。切断可能線２１については後述する。【００１２】  また、図２に示すように、親展葉書作製用シート１は、プリンタによって印刷可能な印刷用シート５と、印刷用シート５に疑似接着により剥離可能で再接着不可能に重ねられた透明フィルム６と、透明フィルム６に重ねられた透明な接着剤層７と接着剤層７に重ねられた剥離シート８とから構成された４層構造となっている。印刷用シート５は、例えば紙製であり、透明フィルム６は、例えばポリエチレンなどの熱可塑性樹脂製であって、接着剤層７は、一般的な透明接着剤からなるものである。【００１３】  また、図３に示すように、親展葉書作製用シート１の裏面側（剥離シート８側）には、裏面側から接着剤層７を露出可能とするための複数のスリットが形成されている。詳しくは、宛名記載部１１の上側縁１１ａから下方に略７ｍｍの箇所、および宛名記載部１１の下側縁１１ｂから上方に略７ｍｍの箇所に、剥離シート８を貫通したスリット１７（請求項における第１のスリットに相当）が各側縁と平行にそれそれ形成されており、親展情報記載部１２の上側縁１２ａから下方に略７ｍｍの箇所、および親展情報記載部１２の下側縁１２ｂから上方に略７ｍｍの箇所に、剥離シート８を貫通したスリット１８が各側縁と平行にそれぞれ形成されている。スリット１７とスリット１８とは連続しており、宛名記載部１１と親展情報記載部１２とに渡って、横長のスリットが連続して形成された状態となっている。また、隠蔽部１３と宛名記載部１１間の折りミシン２０の図中僅か右方、具体的には１ｍｍ強の位置には、折りミ���ン２０と平行なスリット１９（請求項における第２のスリットに相当）が剥離シート８を貫通するように形成されており、上述のスリット１７は、このスリット１９まで到達するように延びている。【００１４】  さらに、宛名記載部１１の裏面側（剥離シート８側）には、隠蔽部１３の表面側（印刷用シート３側）と同様に、宛名記載部１１の４つの側縁およびその近傍を除くほぼ全面に渡る大きさの長方形状の地紋３５（請求項における透過防止印刷に相当する）が形成されている。上述のスリット１７とスリット１８は、この地紋３５の一部と重なるように形成されており、宛名記載部１１に形成されたスリット１７の内、上側のスリット１７の直下には、宛名記載部１１を部分的に除去可能とする切断可能線２１が形成されている。この切断可能線２１は、宛名記載部を表面から裏面に渡って貫通したミシン目状のものであり、宛名記載部１１の上下側縁１１ａ，１１ｂと平行に２本延びている。そして、この２本の切断可能線２１の左右両端部間、詳しくは親展情報記載部１２側の端部間および隠蔽部１３側の端部間に渡って、それぞれ切断可能線２１ａ，２１ｂが上下方向に延びている。これら切断可能線２１ａ，２１ｂの内、親展情報記載部１２側に形成された切断可能線２１ａはミシン目状になっているが、隠蔽部１３側に形成された切断可能線２１ｂは、印刷用シート５、透明フィルム６、接着剤層７および剥離シート８を全体的に貫通したスリット状になっている。即ち、宛名記載部１１には、横方向に延びた切断可能線２１と縦方向に延びた切断可能線２１ａ，２１ｂによって囲まれた横長長方形状の領域が形成されており、当該長方形状領域が除去可能となっている。【００１５】  次に、本実施形態の親展葉書作製用シート１の使用方法について、図４〜１０を参照して説明する。親展葉書作製用シート１を使用する際は、図示しないが、まず宛名記載部１１の印刷用シート５に宛名等を印刷すると共に、親展情報記載部１２の印刷用シート５に個人情報等の親展情報を印刷する。このとき、宛名等および親展情報は、片面印刷により同時に印刷することができる。【００１６】  次に、図４および図５に示すように、スリット１８に沿って、親展情報記載部１２の上下両端の剥離シート８を剥がし、連続してスリット１７に沿って宛名記載部１１上下両端の剥離シート８を剥がして、宛名記載部１１と親展情報記載部１２間の折りミシン２０に沿って、親展情報記載部１２に残留した剥離シート８と宛名記載部１１に残留した剥離シート８とが対向するように折り畳む。このとき、図６および図７に示すように、親展情報記載部１２と宛名記載部１１との間における残留した剥離シート８同士が対向した箇所には、親展情報記載部１２と宛名記載部１１間の折りミシン２０と、各記載部の上下側縁とによって囲まれた袋状領域４０が形成されている。この袋状領域４０には、個人情報等の親展情報が記載、記録等されたカード等の情報記録媒体４５を挿入できるようになっている。【００１７】  そして、情報記録媒体４５を挿入した後、図８に示すように、スリット１９に沿って隠蔽部１３の剥離シート８を全面的に剥がし、続いて隠蔽部１３を宛名記載部１１との境界線に沿って折り畳めば、情報記��媒体４５が封入された親展葉書を作製することができる。このように作製された親展葉書を受け取った顧客等は、図９に示すように、切れ目３１に沿って地紋３０が印刷された印刷用シート５を捲ることにより、親展情報記載部１２の印刷用シート５に印刷された親展情報を、透明フィルムおよび接着剤層を透して視認することができる。また、図１０に示すように、宛名記載部１１に形成された切断可能線２１ｂをきっかけとして切断可能線内の領域を破り、開口部２２を形成することにより、親展葉書内に封入されたカード等の情報記録媒体４５（図７参照）を開口部２２から容易に取り出すことができる。【００１８】  以上説明したように、本実施形態の親展葉書作製用シートでは、シートを折り畳んで接着等するだけで簡単に親展葉書が作製できるので、従来のように親展葉書作製のために煩雑な作業を要することなく、また製造のコストを抑えることができる。また、隠蔽部の表面と宛名記載部の裏面とにそれぞれ地紋を印刷したので、親展情報をより確実に隠蔽することができる。また、隠蔽部の印刷用シートを捲るだけで中の親展情報を容易に視認可能で、さらに、葉書内にカード等を封入して使用する場合も、切断可能線に沿って宛名記載部の一部を切り取るだけで開口部を簡単に形成でき、そこから封入物を取り出すことができる。【００１９】  尚、本発明は上記実施形態に限られず、各種の変形が可能である。例えば、上記実施形態では、宛名記載部の裏面と親展情報記載部の裏面とにスリットを形成して両記載部の裏側に接着剤層が露出されるようにしたが、何れか一方の記載部裏面の接着剤層のみが露出されるようにしてもよい。また、スリットの形成箇所および形状も、上記実施形態のものに限られず適宜変更が可能である。また、上記実施形態では宛名記載部の裏面のみに地紋を印刷したが、親展情報記載部の裏面のみに地紋を印刷してもよく、また両記載部の裏面に地紋を印刷するようにしてもよい。さらに、接着剤層自体を隠蔽性を備えた有色のものとしてもよい。【００２０】  また、上記実施形態では、シートを各記載部等が一直線上に並んだ横長３面付の形状としたが、シートの構成はこれに限られず適宜変更が可能である。例えば、略Ｌ字型の３面付の構成としてもよい。以下、図１１〜１６を参照して、本発明を具体化した封筒作製用シートの他の実施形態シート７５について説明する。尚、以下の説明において、上記実施形態の親展葉書作製用シート１と同じ構成の部材については共通の符号を付けてある。図１１に示すように、親展葉書作製用シート７５は、略Ｌ字型の３面付構成で、略葉書大の宛名記載部１１の上側辺に隠蔽部１３が、宛名記載部１１の右側辺に親展情報記載部１２がそれぞれ折りミシン２０を介して隣接した構成となっている。隠蔽部１３には、上記の親展葉書作製用シート１と同様に地紋３０が印刷されており、その輪郭に沿って、印刷用シート５を貫通した逆コの字型の切れ目３１が形成されている。また、図１２の断面図に示すように、親展葉書作製用シート７５もまた印刷用シート５、透明フィルム６、接着剤層７および剥離シート８の計４層の積層構造となっている。【００２１】  また、図１３（裏面図）に示すように、宛名記載部１１の裏面（剥離シート８側面）、親展情報記載部１２の裏面（剥離シート８側面）の各下側縁から上方に略７ｍｍの箇所には、スリット１７，１８が連続して形成されており、さらに親展情報記載部１２の裏面には、上下方向に延び、親展情報記載部１２の図中左側縁にて所定幅をもって接着剤層７を露出させるためのスリット２９が形成されている。スリット２９は、スリット１７，１８と直交しており、親展葉書作製用シート７５はその裏面において、スリット１７，１８およびスリット２９によって、略Ｌ字型に接着剤層７が露出されるようになっている。また、隠蔽部１３の裏面において、宛名記載部１１との境界である折りミシン２０の僅か上方には、スリット１９が幅方向に渡って形成されている。【００２２】  また、親展葉書作製用シート７５においても、その宛名記載部１１には、該宛名記載部１１を部分的に除去可能とする切断可能線２１が形成されている。この切断可能線２１は、宛名記載部を表面から裏面に渡って貫通したミシン目状のものであり、宛名記載部１１の上下側縁１１ａ，１１ｂと平行に２本延びている。そして、この２本の切断可能線２１の親展情報記載部１２側の端部間に渡って、印刷用シート５、透明フィルム６、接着剤層７および剥離シート８を全体的に貫通したスリット状の切断可能線２１ａが形成されている。これにより、宛名記載部１１は、切断可能線２１ａをきっかけとして切断可能線２１に沿って破ることで部分的に除去されるようになっている。【００２３】  親展葉書作製用シート７５を使用する際は、まず宛名記載部１１の印刷用シート５に宛名等を印刷すると共に、親展情報記載部１２の印刷用シート５に個人情報等の親展情報を印刷し、図１４に示すように、スリット１７，１８および２９に沿って、親展情報記載部１２裏側の剥離シート８および宛名記載部１１裏側の剥離シート８をＬ字状に剥がす。そして、親展情報記載部１２と宛名記載部１１間の折りミシン２０に沿って、親展情報記載部１２に残留した剥離シート８と宛名記載部１１に残留した剥離シート８とが対向するように折り畳む。【００２４】  図１５に示すように、宛名記載部１１と親展情報記載部１２とを折り畳んだとき、双方の上側縁同士は接着されておらず、該上即縁部分に開口部が形成された状態となっているので、この開口部から上述したようなカード等の情報記録媒体４５（図７参照）を挿入および封入することができる。そして、隠蔽部１３裏側の剥離シート８をスリット１９に沿って剥がし、接着剤層７を露出させた後、隠蔽部１３を親展情報記載部１２方向に向かって折り畳んでいけば、親展葉書を得ることができる。【００２５】  この後、このように作製された親展葉書を顧客等が受け取った際の使用形態も同様であるので、ここでの説明は省略する。尚、本実施形態の親展葉書作製用シートにおいて、親展情報記載部の上側に葉書大の領域をさらに一つ追加して、全体的にＡ４大の４面付のシートとすることもできる。この場合は、追加された領域を非使用領域としてもよいし、控え等のために用いてもよい。その他、略Ｌ字型のシートであっても、その各記載部等の配置を変更してもよいことはいうまでもない。
【図面の簡単な説明】
【００２６】
【図１】  親展葉書作製用シート１の平面図である。
【図２】  図１におけるＡ−Ａ線矢視方向断面図である。
【図３】  親展葉書作製用シート１の裏面図である。
【図４】  親展葉書の作製過程を示す親展葉書作製用シート１の裏面図である。
【図５】  親展葉書の作製過程を示す斜視図である。
【図６】  図５におけるＢ−Ｂ線矢視方向断面図である。
【図７】  親展葉書の作製過程を示す斜視図である。
【図８】  親展葉書の作製過程を示す斜視図である。
【図９】  親展葉書の使用方法を示す斜視図である。
【図１０】  親展葉書の使用方法を示す斜視図である。
【図１１】  親展葉書作製用シート７５の平面図である。
【図１２】  図１１におけるＣ−Ｃ線矢視方向断面図である。
【図１３】  親展葉書作製用シート７５の裏面図である。
【図１４】  親展葉書の作製過程を示す親展葉書作製用シート７５の裏面図である。
【図１５】  親展葉書の作製過程を示す親展葉書作製用シート７５の裏面図である。
【図１６】  従来例の隠蔽葉書の斜視図である。
【符号の説明】
【００２７】      １    親展葉書作製用シート
５    印刷用シート
６    透明フィルム
７    接着剤層
８    剥離シート
１１    宛名記載部
１２    親展情報記載部
１３    隠蔽部
１７，１８    スリット（第１のスリット）
１９    スリット（第２のスリット）
２１    切断可能線
２２    開口部
３１    切れ目
４０    袋状領域
４５    情報記録媒体
【図１】
2007022049.tif 000003
【図２】
2007022049.tif 000004
【図３】
2007022049.tif 000005
【図４】
2007022049.tif 000006
【図５】
2007022049.tif 000007
【図６】
2007022049.tif 000008
【図７】
2007022049.tif 000009
【図８】
2007022049.tif 000010
【図９】
2007022049.tif 000011
【図１０】
2007022049.tif 000012
【図１１】
2007022049.tif 000013
【図１２】
2007022049.tif 000014
【図１３】
2007022049.tif 000015
【図１４】
2007022049.tif 000016
【図１５】
2007022049.tif 000017
【図１６】
2007022049.tif 000018